(57)【要約】【課題】変速機の変速比を制御する変速比制御機構の機能が低下した場合でも、車両の走行性能が低下することを抑制することのできるハイブリッド車の制御装置を提供する。【解決手段】車輪に動力を伝達する第１の駆動力源および第２の駆動力源と、第１の駆動力源の動力を車輪および回転装置に分配する動力分配装置と、第２の駆動力源から車輪に至る動力伝達経路に配置された変速機と、変速機の変速比を制御する変速比制御機構とを有するハイブリッド車の制御装置において、変速比制御機構ＳＬ１，ＳＬ２の機能が低下した場合でも、車両の走行性能の低下を抑制することが可能となるように、変速機の状態を制御する特定制御機構８８を備えている。【選択図】  図１
2004278713.tif 000002
【特許請求の範囲】
【請求項１】
車輪に動力を伝達する第１の駆動力源および第２の駆動力源と、前記第１の駆動力源の動力を前記車輪および回転装置に分配する動力分配装置と、前記第２の駆動力源から前記車輪に至る動力伝達経路に配置された変速機と、この変速機の変速比を制御する変速比制御機構とを有するハイブリッド車の制御装置において、
前記変速比制御機構の機能が低下した場合でも、車両の走行性能の低下を抑制することが可能となるように、前記変速機の状態を制御する特定制御機構を備えていることを特徴とするハイブリッド車の制御装置。
【請求項２】
前記特定制御機構は、前記変速機の変速比として、最大変速比よりも小さい変速比を設定する機能を、更に有していることを特徴とする請求項１に記載のハイブリッド車の制御装置。
【請求項３】
前記変速機は、第１の摩擦係合装置および第２の摩擦係合装置を有しており、前記変速比制御機構から供給される油圧により、第１の摩擦係合装置および第２の摩擦係合装置が係合・解放されるように構成され、
前記変速機は、前記変速比制御機構の機能が正常であり、かつ、前記第１の変速比を設定する場合に、前記第２の摩擦係合装置を係合し、かつ、前記第１の摩擦係合装置が解放する機能と、前記変速比制御機構の機能が正常であり、前記第２の変速比を設定する場合に、前記第１の摩擦係合装置を係合し、かつ、前記第２の摩擦係合装置を解放する機能とを有し、
前記第１の変速比を設定する場合に、前記変速比制御機構の機能が低下して、前記第１の摩擦係合装置が係合される時は、前記特定制御機構が、前記第２の摩擦係合装置に伝達される油圧を低下させて、この第２の摩擦係合装置を解放させることにより、前記変速機の変速比として最大変速比よりも小さい変速比を設定する機能を、更に有していることを特徴とする請求項１または２に記載のハイブリッド車の制御装置。
【請求項４】
前記変速機で第１の変速比または第２の変速比を設定する場合に、伝達される油圧により係合・解放される第１の摩擦係合装置および第２の摩擦係合装置と、信号油圧に応じて所定の制御油圧を生成する制御油圧生成弁とを有し、
前記変速比制御機構は、前記制御油圧生成弁で生成された制御油圧を調圧して、前記第１の摩擦係合装置および第２の摩擦係合装置に伝達する油圧を生成する機能を有しているとともに、
前記変速比制御機構で調圧された油圧、または、前記制御油圧生成弁で生成された制御油圧のいずれかを前記信号油圧として選択する切換弁を有していることを特徴とする請求項１に記載のハイブリッド車の制御装置。
【請求項５】
前記切換弁は、
前記第２の摩擦係合装置に伝達する油圧を高め、かつ、前記第１の摩擦係合装置に伝達する油圧を低下させて第１の変速比を設定する場合に、前記第２の摩擦係合装置に伝達する油圧を前記信号油圧として選択する機能と、
前記第１の摩擦係合装置に伝達する油圧を高め、かつ、前記第２の摩擦係合装置に伝達する油圧を低下させて第２の変速比を設定する場合に、前記第１の摩擦係合装置に伝達する油圧を前記信号油圧として選択する機能と、
前記第１の変速比と第２の変速比との切り換えをおこなう場合に、前記制御油圧生成弁で生成された制御油圧を前記信号油圧として選択する機能と
を更に有していることを特徴とする請求項４に記載のハイブリッド車の制御装置。
【請求項６】
前記変速機をトルク伝達不可能な状態とする場合に、前記切換弁は、前記制御油圧生成弁に入力される信号油圧を所定油圧以下に制御する機能を、更に有していることを特徴とする請求項４または５に記載のハイブリッド車の制御装置。
【請求項７】
前記変速機制御機構から出力されるオイルが、前記切換弁を経由して前記第１の摩擦係合装置および第２の摩擦係合装置に供給されるように構成されているとともに、
前記変速機制御機構から出力される油圧を、前記信号油圧として前記制御油圧生成弁に伝達することが可能である場合に、前記変速機制御機構から出力されるオイルを、前記第１の摩擦係合装置および前記第２の摩擦係合装置に供給するように、前記切換弁が構成されていることを特徴とする請求項４ないし６のいずれかに記載のハイブリッド車の制御装置。
【請求項８】
前記変速機で第１の変速比と第２の変速比との切り換えをおこなう場合に、前記第１の摩擦係合装置および第２の摩擦係合装置に供給される潤滑油量の低下を抑制する機能を、前記切換弁が更に有していることを特徴とする請求項４ないし請求項７のいずれかに記載のハイブリッド車の制御装置。
【発明の詳細な説明】
【０００１】
【発明の属する技術分野】
この発明は、複数の駆動力源を有するハイブリッド車の制御装置に関する発明である。
【０００２】
【従来の技術】
近年、燃料の燃焼により動力を出力するエンジンと、電力の供給により動力を出力するモータ・ジェネレータとを搭載し、エンジンおよびモータ・ジェネレータの動力を車輪に伝達することのできるハイブリッド車が提案されている。このようなハイブリッド車においては、各種の条件に基づいて、エンジンおよびモータ・ジェネレータを制御することにより、燃費の向上および騒音の低減および排気ガスの低減を図ることができるものとされている。
【０００３】
上記のように、複数種類の駆動力源を搭載したハイブリッド車の一例が、特開２００２−２２５５７８号公報（特許文献１）に記載されている。この公報に記載されたハイブリッド車は、駆動力源としてのエンジンおよび第２のモータ・ジェネレータを有している。また、エンジンおよび第２のモータ・ジェネレータと車輪との間の動力伝達経路に遊星歯車機構が配置されている。この遊星歯車機構はサンギヤおよびリングギヤと、サンギヤおよびリングギヤに噛合するピニオンギヤを支持するキャリヤとを有している。このキャリヤとエンジンとが連結され、リングギヤと車輪および第２のモータ・ジェネレータとが連結されている。さらに、サンギヤには第１のモータ・ジェネレータが連結されている。一方、リングギヤと第２のモータ・ジェネレータとの間の動力伝達経路には、変速機構が設けられている。さらに、変速機構をロー状態またはハイ状態に切り換える切り換え機構が設けられているとともに、切り換え機構を制御するアクチュエータが設けられている。
【０００４】
上記の公報に記載されたハイブリッド車においては、エンジンまたは第２のモータ・ジェネレータの少なくとも一方の動力が、遊星歯車機構を経由して車輪に伝達される。また、第２のモータ・ジェネレータの動力を車輪に伝達する場合は、要求トルクに基づいて、変速機構をロー状態またはハイ状態に切り換える制御が実行される。なお、駆動力源としてエンジンおよびモータ・ジェネレータを有するハイブリッド車は、特開平９−７４６０７号公報（特許文献２）にも記載されている。さらに、自動変速機の油圧制御装置の一例が、特開平７−７１５８６号公報（特許文献３）に記載されている。
【０００５】
【特許文献１】
特開２００２−２２５５７８号公報（段落番号００２１ないし段落番号００８８、図１ないし図６）
【特許文献２】
特開平９−７４６０７号公報
【特許文献３】
特開平７−７１５８６号公報
【０００６】
【発明が解決しようとする課題】
しかしながら、上記の特開２００２−２２５５７８号公報においては、変速機構をロー状態またはハイ状態に切り換えるアクチュエータの機能が低下した場合に、いかにして変速機構を制御すべきかが記載されておらず、改善の余地があった。
【０００７】
この発明は上記の事情を背景としてなされたものであり、変速機の変速比を制御する変速比制御機構の機能が低下した場合でも、車両の走行性能が低下することを抑制することのできるハイブリッド車の制御装置を提供することを目的としている。
【０００８】
【課題を解決するための手段およびその作用】
上記の目的を達成するために、請求項１の発明は、車輪に動力を伝達する第１の駆動力源および第２の駆動力源と、前記第１の駆動力源の動力を前記車輪および回転装置に分配する動力分配装置と、前記第２の駆動力源から前記車輪に至る動力伝達経路に配置された変速機と、この変速機の変速比を制御する変速比制御機構とを有するハイブリッド車の制御装置において、前記変速比制御機構の機能が低下した場合でも、車両の走行性能の低下を抑制することが可能となるように、前記変速機の状態を制御する特定制御機構を備えていることを特徴とする発明である。
【０００９】
請求項１の発明によれば、第１の駆動力源または第２の駆動力源の少なくとも一方の動力が車輪に伝達される。また、第１の駆動力源の動力は、車輪および回転装置に分配可能である。そして、変速比制御機構の機能が低下した場合は、車両の走行性能の低下を抑制することが可能となるように、変速機の状態が制御される。
【００１０】
請求項２の発明は、請求項１の構成に加えて、前記特定制御機構は、前記変速機の変速比として、最大変速比よりも小さい変速比を設定する機能を、更に有していることを特徴とする発明である。
【００１１】
請求項２の発明によれば、請求項１の発明と同様の作用が生じる他に、変速機の変速比として、最大変速比よりも小さい変速比が設定される。
【００１２】
請求項３の発明は、請求項１または２の構成に加えて、前記変速機は、第１の摩擦係合装置および第２の摩擦係合装置を有しており、前記変速比制御機構から供給される油圧により、第１の摩擦係合装置および第２の摩擦係合装置が係合・解放されるように構成され、前記変速機は、前記変速比制御機構の機能が正常であり、かつ、前記第１の変速比を設定する場合に、前記第２の摩擦係合装置を係合し、かつ、前記第１の摩擦係合装置が解放する機能と、前記変速比制御機構の機能が正常であり、前記第２の変速比を設定する場合に、前記第１の摩擦係合装置を係合し、かつ、前記第２の摩擦係合装置を解放する機能とを有し、前記第１の変速比を設定する場合に、前記変速比制御機構の機能が低下して、前記第１の摩擦係合装置が係合される時は、前記特定制御機構が、前記第２の摩擦係合装置に伝達される油圧を低下させて、この第２の摩擦係合装置を解放させることにより、前記変速機の変速比として最大変速比よりも小さい変速比を設定する機能を、更に有していることを特徴とする発明である。
【００１３】
請求項３の発明によれば、請求項１または２の発明と同様の作用が生じる他に、第１の変速比を設定する場合に、変速比制御機構の機能が低下して、第１の摩擦係合装置が係合される場合は、第２の摩擦係合装置に伝達される油圧が低下されて、第２の摩擦係合装置が解放される。
【００１４】
請求項４の発明は、請求項１の構成に加えて、前記変速機で第１の変速比または第２の変速比を設定する場合に、伝達される油圧により係合・解放される第１の摩擦係合装置および第２の摩擦係合装置と、信号油圧に応じて所定の制御油圧を生成する制御油圧生成弁とを有し、前記変速比制御機構は、前記制御油圧生成弁で生成された制御油圧を調圧して、前記第１の摩擦係合装置および第２の摩擦係合装置に伝達する油圧を生成する機能を有しているとともに、前記変速比制御機構で調圧された油圧、または、前記制御油圧生成弁で生成された制御油圧のいずれかを前記信号油圧として選択する切換弁を有していることを特徴とする発明である。
【００１５】
請求項４の発明によれば、請求項１の発明と同様の作用が生じる他に、制御油圧生成弁で制御油圧が生成され、その制御油圧が変速比制御機構により再度調圧されて、調圧された油圧が第１の摩擦係合装置および第２の摩擦係合装置に供給されて、変速機で第１の変速比または第２の変速比が設定される。また、変速比制御機構で調圧された油圧、または、制御油圧生成弁で生成された制御油圧のいずれかが、制御油圧生成弁の信号油圧として選択される。
【００１６】
請求項５の発明は、請求項４の構成に加えて、前記切換弁は、前記第２の摩擦係合装置に伝達する油圧を高め、かつ、前記第１の摩擦係合装置に伝達する油圧を低下させて第１の変速比を設定する場合に、前記第２の摩擦係合装置に伝達する油圧を前記信号油圧として選択する機能と、前記第１の摩擦係合装置に伝達する油圧を高め、かつ、前記第２の摩擦係合装置に伝達する油圧を低下させて第２の変速比を設定する場合に、前記第１の摩擦係合装置に伝達する油圧を前記信号油圧として選択する機能と、前記第１の変速比と第２の変速比との切り換えをおこなう場合に、前記制御油圧生成弁で生成された制御油圧を前記信号油圧として選択する機能とを更に有していることを特徴とする発明である。
【００１７】
請求項５の発明によれば、請求項４の発明と同様の作用が生じる他に、第２の摩擦係合装置に伝達する油圧を高め、かつ、第１の摩擦係合装置に伝達する油圧を低下させて第１の変速比を設定する場合は、第２の摩擦係合装置に伝達する油圧が、信号油圧として選択される。また、第１の摩擦係合装置に伝達する油圧を高め、かつ、第２の摩擦係合装置に伝達する油圧を低下させて第２の変速比を設定する場合は、第１の摩擦係合装置に伝達する油圧が、信号油圧として選択される。さらに、第１の変速比と第２の変速との切り換えをおこなう場合は、制御油圧生成弁で生成された制御油圧が、信号油圧として選択される。
【００１８】
請求項６の発明は、請求項４または５の構成に加えて、前記変速機をトルク伝達不可能な状態とする場合に、前記切換弁は、前記制御油圧生成弁に入力される信号油圧を所定油圧以下に制御する機能を、更に有していることを特徴とする発明である。
【００１９】
請求項６の発明によれば、請求項４または５の発明と同様の作用が生じる他に、変速機をトルク伝達不可能な状態とする場合は、制御油圧生成弁に入力される信号油圧が所定油圧以下に制御される。
【００２０】
請求項７の発明は、請求項４ないし６のいずれかの構成に加えて、前記変速機制御機構から出力されるオイルが、前記切換弁を経由して前記第１の摩擦係合装置および第２の摩擦係合装置に供給されるように構成されているとともに、前記変速機制御機構から出力される油圧を、前記信号油圧として前記制御油圧生成弁に伝達することが可能である場合に、前記変速機制御機構から出力されるオイルを、前記第１の摩擦係合装置および第２の摩擦係合装置に供給するように、前記切換弁が構成されていることを特徴とする発明である。ここで、「オイルを、第１の摩擦係合装置および第２の摩擦係合装置に供給する」とは、「第１の摩擦係合装置および第２の摩擦係合装置に、オイルを同時にまたは並行して供給する」という、経時的なオイル供給方式、オイル供給タイミングを、必ずしも意味するものではない。
【００２１】
請求項７の発明によれば、請求項４ないし６のいずれかの発明と同様の作用が生じる他に、変速機制御機構から出力される油圧を、信号油圧として制御油圧生成弁に伝達することが可能である場合に、変速機制御機構から出力されるオイルが、第１の摩擦係合装置または第２の摩擦係合装置に供給される。
【００２２】
請求項８の発明は、請求項４ないし請求項７のいずれかの構成に加えて、前記変速機で第１の変速比と第２の変速比との切り換えをおこなう場合に、前記第１の摩擦係合装置および第２の摩擦係合装置に供給される潤滑油量の低下を抑制する機能を、前記切換弁が更に有していることを特徴とするものである。
【００２３】
請求項８の発明によれば、請求項４ないし請求項７のいずれかの発明と同様の作用が生じる他に、変速機で第１の変速比と第２の変速比との切り換えをおこなう場合に、第１の摩擦係合装置および第２の摩擦係合装置に供給される潤滑油量の低下が抑制される。
【００２４】
【発明の実施の形態】
つぎに、この発明を図面を参照しながら具体的に説明する。図２は、この発明の制御装置を用いることの可能な車両Ｖｅの一例を示す。図２に示された車両Ｖｅは、Ｆ・Ｒ（フロントエンジン・リヤドライブ；エンジン前置き後輪駆動）形式の車両である。図２において、車両Ｖｅは、第１の駆動力源としてのエンジン１を有している。
【００２５】
前記エンジン１としては内燃機関、具体的にはガソリンエンジン、ディーゼルエンジン、ＬＰＧエンジンなどを用いることができる。このエンジン１のクランクシャフト２には、ダンパ機構３を経由してインプットシャフト４が連結されている。また、ケーシング５が設けられており、ケーシング５の内部には、モータ・ジェネレータ６およびモータ・ジェネレータ７が設けられている。このモータ・ジェネレータ７およびモータ・ジェネレータ６としては、電気エネルギを機械エネルギに変換する力行機能と、機械エネルギを電気エネルギに変換する回生機能とを兼備したモータ・ジェネレータを用いることができる。モータ・ジェネレータ６は、ステータ８およびロータ９を有しており、ステータ８はケーシング５に固定されている。
【００２６】
また、ケーシング５の内部には、動力分配装置１０が設けられている。この動力分配装置１０は、シングルピニオン形式の遊星歯車機構により構成されている。すなわち、動力分配装置１０は、中空シャフト１１に形成されたサンギヤ１２と、サンギヤ１２と同心状に配置されたリングギヤ１３と、サンギヤ１２およびリングギヤ１３に噛合するピニオンギヤ１４を保持したキャリヤ１５とを有している。そして、インプットシャフト４とキャリヤ１５とが一体回転するように連結されている。また、インプットシャフト４は中空シャフト１１内に配置され、インプットシャフト４と中空シャフト１１とは相対回転可能である。
【００２７】
一方、前記モータ・ジェネレータ７は、ステータ１７およびロータ１８を有している。ステータ１７はケーシング５に固定されている。また、ケーシング５の内部には、変速機１９が設けられている、この変速機１９は、遊星歯車式変速機である。すなわち、変速機１９は、同心状に配置されたサンギヤ２０およびリングギヤ２１と、一体回転する大径ピニオンギヤ２２および小径ピニオンギヤ２３と、ショートピニオンギヤ５０と、大径ピニオンギヤ２２および小径ピニオンギヤ２３を一体的に公転可能に保持するキャリヤ２４とを有している。そして、ショートピニオンギヤ５０と、大径ピニオンギヤ２２およびサンギヤ２０およびリングギヤ２１とが噛合されている。
【００２８】
キャリヤ２４にはアウトプットシャフト２５が一体回転するように連結され、インプットシャフト４とアウトプットシャフト２５とが同心状に配置されている。また、アウトプットシャフト２５と、動力分配装置１０のリングギヤ１３とが一体回転するように連結されている。アウトプットシャフト２５の外側には中空シャフト２６が配置されており、アウトプットシャフト２５と中空シャフト２６とは相対回転可能である。この中空シャフト２６とモータ・ジェネレータ７のロータ１８とが一体回転するように連結されている。
【００２９】
さらに、中空シャフト２６とサンギヤ２０とが一体回転するように連結されている。さらにまた、小径ピニオンギヤ２３に噛合するギヤ２８が設けられており、ギヤ２８の回転を許可または規制するブレーキＢ１が設けられている。さらにまた、リングギヤ２１の回転を許可または規制するブレーキＢ２が設けられている。なお、アウトプットシャフト２５と、デファレンシャル２９の入力部材（図示せず）とが、プロペラシャフト（図示せず）により連結されている。また、デファレンシャル２９の回転部材（図示せず）とドライブシャフト３０とが連結されている。さらに、ドライブシャフト３０には車輪３１が連結されている。このように、エンジン１およびモータ・ジェネレータ７が同じ車輪３１に動力伝達可能に連結され、かつ、エンジン１とモータ・ジェネレータ７とが並列に配置されている。
【００３０】
つぎに、車両Ｖｅの制御系統について説明する。電子制御装置３２が設けられており、電子制御装置３２には、エンジン１の始動・停止要求を示す信号、モータ・ジェネレータ６，７の制御要求信号、シフトポジション選択信号、車速を示す信号、加速要求を示す信号、制動要求を示す信号、エンジン回転速度を示す信号、油圧制御装置５２の状態を示す信号などが入力される。シフトポジションセンサにより検知されるシフトポジションとしては、例えば、Ｐ（パーキング）ポジション、Ｒ（リバース）ポジション、Ｎ（ニュートラル）ポジション、Ｄ（ドライブ）ポジションがある。ここで、ＰポジションおよびＮポジションは、変速機を動力伝達不可能な状態（非駆動状態、非走行状態）とする場合に選択されるポジションであり、Ｄポジションおよびリバースポジションは、変速機１９を動力伝達可能な状態（駆動状態、走行状態）とする場合に選択されるポジションである。
【００３１】
これに対して、電子制御装置３２からは、エンジン１を制御する信号、モータ・ジェネレータ６を制御する信号、モータ・ジェネレータ７を制御する信号、油圧制御装置５２を制御する信号などが出力される。この油圧制御装置５２については後述する。そして、油圧制御装置５２からブレーキＢ１，Ｂ２に伝達される油圧に基づいて、ブレーキＢ１，Ｂ２が係合・解放される。
【００３２】
図２に示す車両Ｖｅにおいては、エンジン１が停止している場合に、電子制御装置３２に入力される信号および電子制御装置３２に記憶されているデータに基づいて、モータ・ジェネレータ６を電動機として駆動させ、モータ・ジェネレータ６のトルクをエンジン１に伝達してエンジン１をクランキングするとともに、燃料供給および燃料の燃焼をおこなうと、エンジン１が自律回転可能となる。
【００３３】
また、車両Ｖｅにおいては、複数の駆動力源の駆動・停止の組み合わせにより、第１の駆動形態ないし第３の駆動形態を選択的に切換可能である。第１の駆動形態が選択された場合は、エンジン１が駆動され、モータ・ジェネレータ７への電力の供給が停止される。エンジン１が自律回転している場合、エンジントルクは、インプットシャフト４、キャリヤ１５、リングギヤ１３を経由してアウトプットシャフト２５に伝達される。アウトプットシャフト２５のトルクは、プロペラシャフト（図示せず）、デファレンシャル２９、ドライブシャフト３０を経由して車輪３１に伝達されて、駆動力が発生する。なお、エンジントルクを動力分配装置１０を経由させてモータ・ジェネレータ６に伝達し、モータ・ジェネレータ６を発電機として起動させて、発電された電力を蓄電装置（図示せず）に蓄電することも可能である。
【００３４】
これに対して、第２の駆動形態が選択された場合は、モータ・ジェネレータ７が電動機として起動され、モータ・ジェネレータ７のトルクが変速機１９を経由して車輪３１に伝達される。この第２の駆動形態が選択された場合は、エンジン１に燃料は供給されない。
【００３５】
さらに、第３の駆動形態が選択された場合は、エンジン１およびモータ・ジェネレータ７が共に駆動され、エンジン１のトルクおよびモータ・ジェネレータ７のトルクが、共に車輪３１に伝達される。このように、エンジントルクを動力分配装置１０により、車輪３１とモータ・ジェネレータ６とに機械的に分配することが可能である。また、図２に示す車両Ｖｅは、エンジン１またはモータ・ジェネレータ７のうちの少なくとも一方のトルクを駆動力源とすることの可能なハイブリッド車である。
【００３６】
ところで、モータ・ジェネレータ７のトルクを車輪３１に伝達する場合は、変速機１９を制御するモードとして、２種類の変速モードを選択可能である。この変速モードは、車速、要求駆動力などに基づいて判断され、低速モードまたは高速モードのいずれかを選択することが可能である。たとえば、車速が所定車速以下であり、かつ、要求駆動力が所定値以上である場合は、低速モードが選択される。これに対して、車速が所定車速を越え、かつ、要求駆動力が所定値未満である場合は、高速モードが選択される。
【００３７】
低速モードが選択された場合は、ブレーキＢ１が解放され、かつ、ブレーキＢ２が係合される。この低速モードが選択され、かつ、モータ・ジェネレータ７のトルクがサンギヤ２０に伝達された場合は、リングギヤ２１が反力要素となり、サンギヤ２０のトルクが、キャリヤ２４およびアウトプットシャフト２５およびデファレンシャル２９を経由して車輪３１に伝達される。ここで、モータ・ジェネレータ７の回転速度が変速機１９により減速される。なお、低速モードが選択された場合における変速機１９の変速比は、「ロー（最大変速比）」である。
【００３８】
一方、高速モードが選択された場合は、ブレーキＢ２が解放され、かつ、ブレーキＢ１が係合される。モータ・ジェネレータ７が電動機として駆動され、かつ、高速モードが選択された場合は、ギヤ２８が反力要素となり、サンギヤ２０のトルクが、キャリヤ２４およびアウトプットシャフト２５およびデファレンシャル２９を経由して車輪３１に伝達される。すなわち、モータ・ジェネレータ７の回転速度が変速機１９により減速される。なお、高速モードが選択された場合における変速機１９の変速比は、「ハイ（小変速比）」である。高速モードが選択された場合における変速機１９の変速比は、低速モードが選択された場合に設定される変速機１９の変速比よりも小さい。
【００３９】
ここで、図２に示すパワートレーンの各回転要素の回転速度および回転方向の一例を、図３の速度線図に基づいて説明する。図３の速度線図は、エンジン１およびモータ・ジェネレータ７が共に駆動されており、エンジントルクがアウトプットシャフト２５に伝達され、かつ、モータ・ジェネレータ７のトルクがアウトプットシャフト２５に伝達される場合を示している。具体的には、モータ・ジェネレータ６とエンジン１とアウトプットシャフト２５との関係が線分Ａ１で示され、モータ・ジェネレータ７とアウトプットシャフト２５とギヤ２８とリングギヤ２１との関係が、線分Ｌｏおよび線分Ｈｉで示されている。線分Ｌｏは、変速機１９でローが設定された場合に相当する線分であり、線分Ｈｉは、変速機１９でハイが設定された場合に相当する線分である。
【００４０】
図３に示す「ＭＧ１」がモータ・ジェネレータ６の回転速度であり、「ＭＧ２」がモータ・ジェネレータ７の回転速度であり、「ＥＮＧ」がエンジン回転速度であり、「車」がアウトプットシャフト２５の回転速度であり、「Ｂ１」がブレーキＢ１により停止されるギヤ２８の回転速度であり、「Ｂ２」がブレーキＢ２により停止されるリングギヤ２１の回転速度である。図３のように、エンジン１が正方向に回転して、アウトプットシャフト２５も正方向に回転する。エンジン回転速度は動力分配装置１０により増速されるため、エンジン回転速度よりもアウトプットシャフト２５の回転速度の方が高くなる。また、ローまたはハイのいずれが選択された場合も、モータ・ジェネレータ７の回転速度は変速機１９により減速される。以下、前記油圧制御装置５２の実施例を順次説明する。
【００４１】
【第１の実施例】
油圧制御装置５２の第１の実施例を、図１に基づいて説明する。この第１の実施例は、請求項１ないし３の発明に対応する実施例である。まず、オイルポンプ５３，５４が設けられており、オイルポンプ５３はエンジン１により駆動され、オイルポンプ５４はモータにより駆動される。そして、オイルパン５５に貯留されているオイルが、オイルポンプ５３，５４の少なくとも一方により汲み上げられる。また、オイルポンプ５３，５４から吐出されたオイルが供給されるプライマリレギュレータバルブ５６が設けられている。プライマリレギュレータバルブ５６は、弾性部材５７により所定方向に付勢されるスプール５８と、通路５９と、ポート６０，６１，６２と、油圧室６３とを有している。
【００４２】
そして、オイルポンプ５３，５４から吐出されたオイルが、油路６４を経由して通路５９に供給される構成となっている。通路５９には油路６５が連通しており、油路６５の油圧がポート６０に伝達される。そして、ポート６０の油圧に対応する付勢力と、油圧室６２の油圧および弾性部材５７の弾性力に対応する付勢力とがスプール５８に逆向きに作用し、各付勢力同士の対応関係に応じてスプール５８が動作する。スプール５８の動作により、油路６４から油路６５に供給されるオイル量、通路５９からポート６１，６２に排出されるオイル量が調整される。なお、ポート６１から排出されるオイルは、油路６６を経由してオイルポンプ５３，５４の吸込口に戻される。また、ポート６２から排出されるオイルは、油路６７を経由して、オイルポンプ５３の吐出口に戻されるか、または油路６７，９８、クーラー９９を経由してオイルパン５５に戻される。
【００４３】
前記油路６５のオイルはリニアソレノイドバルブＳＬＴに供給される。リニアソレノイドバルブＳＬＴは、所定方向に往復移動可能なスプール（図示せず）と、スプールを正方向に付勢する電磁コイル（図示せず）と、スプールを逆方向に付勢する弾性部材（図示せず）と、ポート６８，６９，７０，７１，７２とを有している。また、ポート６９と前記油圧室６３とが油路７３により連通され、ポート７０はオイルパン５５に連通されている。さらに、ポート７１とポート７２とが連通されている。
【００４４】
このリニアソレノイドバルブＳＬＴにおいては、電磁コイルへの通電により発生する磁気吸引力、およびポート７２の油圧に対応する付勢力と、弾性部材の付勢力との対応関係に基づいてスプールの動作が制御され、ポート６８とポート６９，７１との連通面積を調整することができるとともに、ポート６９とポート７０との連通面積を調整することができる。
【００４５】
このリニアソレノイドバルブＳＬＴは、電磁コイルへの通電がおこなわれていない場合（オフの場合）に、ポート６８とポート６９，７１との連通面積が最大となり、かつ、ポート６９とポート７０との連通面積が最小となる機能を備えたノーマルオープン型のバルブである。したがって、リニアソレノイドバルブＳＬＴへの通電電流が低いほど、油路７３および油圧室６３の油圧が高まる。
【００４６】
一方、油路６５のオイルは、油路７４を経由してリニアソレノイドバルブＳＬ１，ＳＬ２に供給される。リニアソレノイドバルブＳＬ１は、所定方向に往復移動可能なスプール（図示せず）と、スプールを正方向に付勢する電磁コイル（図示せず）と、スプールを逆方向に付勢する弾性部材（図示せず）と、ポート７５，７６，７７，７８，７９とを有している。また、ポート７９とオイルパン５５とを連通する油路１００が形成されている。さらに、ポート７６とポート７７とが連通されている。さらにまた、ポート７８には、油路８０を経由してブレーキＢ１の油圧室８１が連通されている。
【００４７】
このリニアソレノイドバルブＳＬ１においては、電磁コイルへの通電により発生する磁気吸引力、およびポート７７の油圧に対応する付勢力と、弾性部材の付勢力との対応関係に基づいてスプールの動作が制御され、ポート７５とポート７６，７８との連通面積調整することができるとともに、ポート７８とポート７９との連通面積を調整することができる。
【００４８】
このリニアソレノイドバルブＳＬ１は、電磁コイルへの通電がおこなわれていない場合（オフの場合）に、ポート７５とポート７６，７８との連通面積が最大となり、かつ、ポート７８とポート７９との連通面積が最小となる機能を備えたノーマルオープン型のバルブである。したがって、リニアソレノイドバルブＳＬ１への非通電時に、油路８０の出力油圧が最高圧となる。このようにして、リニアソレノイドバルブＳＬＴの電磁コイルへの通電電流と、油路８０の油圧との関係を比例制御することが可能である。
【００４９】
一方、リニアソレノイドバルブＳＬ２は、所定方向に往復移動可能なスプール（図示せず）と、スプールを正方向に付勢する電磁コイル（図示せず）と、スプールを逆方向に付勢する弾性部材（図示せず）と、ポート８２，８３，８４，８５とを有している。そして、ポート８２と油路７４とが連通されている。また、ポート８５とオイルパン５５とが、油路１００により連通されている。さらに、ポート８３とポート８４とが連通されている。さらにまた、ポート８３には油路８６が連通されている。
【００５０】
このリニアソレノイドバルブＳＬ２においては、電磁コイルへの通電により発生する磁気吸引力に対応する付勢力と、弾性部材の付勢力およびポート８４の油圧に対応する付勢力との対応関係に基づいてスプールの動作が制御され、ポート８２とポート８３との連通面積調整することができるとともに、ポート８３とポート８５との連通面積を調整することができる。
【００５１】
このリニアソレノイドバルブＳＬ２は、電磁コイルへの通電がおこなわれていない場合（オフの場合）に、ポート８２とポート８３との連通面積が最小となり、かつ、ポート８３とポート８５との連通面積が最大となる機能を備えたノーマルクローズ型のバルブである。したがって、リニアソレノイドバルブＳＬ２への通電電流が最大となった場合に、油路８６の出力油圧が最高圧となる。このようにして、リニアソレノイドバルブＳＬ２の電磁コイルへの通電電流と、油路８６の油圧との関係を比例制御することが可能である。
【００５２】
さらに、油路８６とブレーキＢ２の油圧室８７との間の経路には、フェールセーフバルブ８８が設けられている。このフェールセーフバルブ８８は、所定方向に動作可能なスプール８９と、ポート９０，９１，９２，９３，９４，９７とを有している。ポート９０，９３は共に油路８６に連通され、ポート９１には油路９５を経由して油圧室８７が連通されている。また、ポート９４と油路７４とが油路９６により連通され、ポート９２がオイルパン５５に連通されている。さらに、ポート９７は油路８０に連通している。さらにまた、スプール８９を一方向に付勢する弾性部材９８が設けられており、弾性部材９８の付勢力およびポート９３，９７の油圧に対応する付勢力と、ポート９４の油圧に対応する付勢力との対応関係に基づいて、スプール８９が動作する。このスプール８９の動作により、ポート９０とポート９１との連通面積と、ポート９１とポート９２との連通面積とが調整される。
【００５３】
つぎに、図１に示す油圧制御装置５２の機能を具体的に説明する。まず、オイルポンプ５３，５４の少なくとも一方から吐出されるオイルが、油路６４に供給される。また、リニアソレノイドバルブＳＬＴへの通電電流に応じて、油圧室６３の油圧が制御される。そして、油圧室６３の油圧に対応する付勢力および弾性部材５７の付勢力と、ポート６０の油圧に対応する付勢力とに応じてスプール５８が動作し、油路６５の油圧（ライン圧）が制御される。つまり、プライマリレギュレータバルブ５６は、リニアソレノイドバルブＳＬＴに連通された油路７３の油圧をパイロット圧として、ライン圧を調圧する。このようにして、リニアソレノイドバルブＳＬＴの電磁コイルへの通電電流と、油路６５の油圧との関係を比例制御することが可能である。この油路６５のオイルは、油路７４を経由してリニアソレノイドバルブＳＬ１のポート７５およびリニアソレノイドバルブＳＬ２のポート８２に供給される。
【００５４】
まず、高速モードが選択された場合は、リニアソレノイドバルブＳＬ１においては、電磁コイルへの通電電流の制御により、ポート７５とポート７８との連通面積が拡大され、かつ、ポート７９とポート７８との連通面積が縮小される。その結果、油路８０の油圧が上昇して油圧室８１の油圧が高められ、ブレーキＢ１の係合圧が高められる。
【００５５】
また、前記油路８０のオイルは、フェールセーフバルブ８８のポート９７にも供給されている。そして、ブレーキＢ１が係合される場合、つまり、油路８０の油圧が上昇する場合は、スプール８９が図１において上向きに動作して、ポート９０とポート９１との連通面積が縮小されるとともに、ポート９１とポート９２との連通面積が拡大する。このため、ブレーキＢ２の油圧室８７のオイルが、油路９５およびポート９２を経由してドレーンされて油圧室８７の油圧が低下し、ブレーキＢ２の係合圧が低下する。さらに、ハイモードが選択された場合は、リニアソレノイドバルブＳＬ２の通電電流の制御により、ポート８３とポート８５との連通面積が拡大され、かつ、ポート８２とポート８３との連通面積が縮小される。その結果、油路８６のオイルがポート８５からドレーンされる。
【００５６】
一方、低速モードが選択された場合は、リニアソレノイドバルブＳＬ１の通電電流の制御により、ポート７９とポート７８との連通面積が拡大され、かつ、ポート７５とポート７８との連通面積が縮小される。その結果、油圧室８１のオイルがドレーンされて、ブレーキＢ１の係合圧が低下する。また、リニアソレノイドバルブＳＬ２においては、電磁コイルへの通電電流の制御により、ポート８２とポート８３との連通面積が拡大され、かつ、ポート８３とポート８５との連通面積が縮小される。
【００５７】
さらに、ブレーキＢ１が解放される場合、つまり、油路８０の油圧が低下する場合は、スプール８９が図１において下向きに動作して、ポート９１とポート９２との連通面積が縮小されるとともに、ポート９０とポート９１との連通面積が拡大する。このため、油路７４から油路８６に供給されたオイルが、油路９５を経由して油圧室８７に供給されて油圧室８７の油圧が上昇し、ブレーキＢ２の係合圧が高められる。したがって、低速モードと高速モードとの切り換え、つまり、変速機１９の変速制御を実行する場合は、いずれか一方のブレーキの係合・解放状態を切り換える制御と、他方のブレーキの解放・係合状態を切り換える制御とを並行して実行する変速、いわゆる、クラッチ・ツゥ・クラッチ変速となる。
【００５８】
図４，図５は、各種の走行モードに対応する油圧制御装置５２の状態を示す図表である。図４において、「ニュートラルモード」とは、「モータ・ジェネレータ７とアウトプットシャフト２５との間でトルク伝達をおこなうことが不可能であること」を意味し、「Ｌｏモード」とは、前述の「低速モードが選択されていること」を意味し、「Ｈｉモード」とは前述の「高速モードが選択されていること」を意味する。また、「フェールモード」とは、油圧制御装置５２の機能を意味し、図４，図５において、「Ｓｏｌ１」はリニアソレノイドバルブＳＬ１を意味し、「Ｓｏｌ２」はリニアソレノイドバルブＳＬ２を意味し、「（Ｎ／Ｏ）」はノーマルオープン型を意味し、「（Ｎ／Ｃ）」はノーマルクローズ型を意味する。
【００５９】
また、図４，図５においては、「正常時」、「Ｓｏｌ１断線」、「Ｓｏｌ２断線」、「全Ｓｏｌ断線」が示されている。ここで、「Ｓｏｌ１断線」とは、「リニアソレノイドバルブＳＬ１に電力を供給する電線が断線していること」を意味し、「Ｓｏｌ２断線」とは、「リニアソレノイドバルブＳＬ２に電力を供給する電線が断線していること」を意味し、「全Ｓｏｌ断線」とは、「リニアソレノイドバルブＳＬ１およびリニアソレノイドバルブＳＬ２に電力を供給する電線が断線していること」を意味する。
【００６０】
また、「Ｓｏｌ１」、「Ｓｏｌ２」に対応する「○」は、リニアソレノイドバルブに通電されることを意味し、「Ｓｏｌ１」、「Ｓｏｌ１」に対応する「×」は、リニアソレノイドバルブに通電されないことを意味する。さらに、「ＦＳバルブ」とはフェールセーフバルブ８８を意味しており、「ＦＳバルブ」に対応する「×」は、フェールセーフバルブ８８のスプール８９が、図１において左半分に示す位置で停止することを意味する。すなわち、ポート９０とポート９１とが遮断され、ポート９１とポート９２とが連通されることを意味する。
【００６１】
また、「ＦＳバルブ」に対応する「○」は、フェールセーフバルブ８８のスプール８９が、図１において右半分に示す位置で停止することを意味する。すなわち、ポート９０とポート９１とが連通され、ポート９１とポート９２とが遮断されることを意味する。また、「Ｂ１」はブレーキＢ１を意味し、「Ｂ２」はブレーキＢ２を意味する。また「Ｂ１，Ｂ２」に対応する「×」はブレーキが解放されることを意味し、また「Ｂ１，Ｂ２」に対応する「○」はブレーキが係合されることを意味する。
【００６２】
以下、各モードについて詳細に説明する。まず、図４の内容を説明する。
［ニュートラルモードが選択されている場合］
【００６３】
▲１▼  油圧制御装置５２が正常である場合
Ｓｏｌ１が通電され、Ｓｏｌ２が非通電となる。また、ＦＳバルブは「×」となる。つまり、ブレーキＢ１，Ｂ２が共に「×」となる。また、走行モード変化は発生せず、リンプホーム走行モードも存在しない。
【００６４】
▲２▼  Ｓｏｌ１が断線である場合
Ｓｏｌ１が通電から非通電に変化し、ブレーキＢ１が解放から係合に変化する。その結果、走行モードがニュートラルモードからＨｉモードに変化する。そこで、モータ・ジェネレータ７の回転速度を車速に応じて制御することで、リンプホーム走行モードをニュートラルモードにする。具体的には、モータ・ジェネレータ７からアウトプットシャフト２５に伝達されるトルクを零に制御する。
【００６５】
▲３▼  Ｓｏｌ２が断線である場合
各システムの状態は、上記▲１▼の場合と同じになる。また走行モードはニュートラルモードのままであり、リンプホーム走行モードもニュートラルモードのままである。
▲４▼  Ｓｏｌが全て断線である場合
各システムの状態は、上記▲２▼の場合と同じになる。また走行モードはニュートラルモードのままであり、リンプホーム走行モードもニュートラルモードである。
【００６６】
［Ｌｏモードが選択されている場合］
▲１▼  油圧制御装置５２が正常である場合
Ｓｏｌ１およびＳｏｌ２が共に通電され、ＦＳバルブは「×」であり。ブレーキＢ１が解放され、ブレーキＢ２が係合される。
▲２▼  Ｓｏｌ１が断線である場合
ＦＳバルブが「×」から「○」に変化し、ブレーキＢ１が解放から係合に変化する。また、ブレーキＢ２が係合から解放に変化する。つまり、走行モードはＬｏモードからＨｉモードに変化し、リンプホーム走行モードはＨｉモードとなる。
【００６７】
▲３▼  Ｓｏｌ２が断線である場合
ブレーキＢ２が係合から解放に変化し、走行モードはＬｏモードからニュートラルモードに変化する。そこで、リンプホーム走行モードとしてＨｉモードを選択する。具体的には、Ｓｏｌ１を「○」から「×」に切り換えて、ブレーキＢ１を係合させる。
▲４▼  Ｓｏｌが全て断線である場合
ブレーキＢ１が解放から係合に変化し、ブレーキＢ２が係合から解放に変化する。このため、走行モードはＬｏモードからＨｉモードに変化し、リンプホーム走行モードとしてＨｉモードが選択される。
【００６８】
［Ｈｉモードが選択されている場合］
▲１▼  油圧制御装置５２が正常である場合
ブレーキＢ１が係合され、ブレーキＢ２が解放される。
▲２▼  Ｓｏｌの少なくとも一方が断線である場合、
各システムの状態は、上記▲１▼と同じであり、走行モードはＨｉモードから変化せず、リンプホーム走行モードもＨｉモードとなる。
【００６９】
つぎに、図５の内容を説明する。まず、走行モードがＬｏモードであり、かつ、システムが正常である場合は、各システムの状態は前述と同じとなる。そして、Ｓｏｌ１が断線すると、Ｓｏｌ１が「○」から「×」に変化して、ブレーキＢ１が係合される。つまり、ブレーキＢ１，Ｂ２が共に係合される状態、いわゆるタイアップ状態となる。そこで、Ｓｏｌ２を「○」から「×」に切り換えて、ブレーキＢ２を解放させて、走行モードをＨｉモードに切り換える。
【００７０】
このように、図１の油圧制御装置５２の第１の実施例によれば、ＬｏモードまたはＨｉモードが選択されている場合に、油圧制御装置５２がフェールした場合でも、変速機１９の変速比をハイに設定して、リンプホーム走行を実行することが可能となる。また、Ｈｉモードが選択されるとリニアソレノイドバルブＳＬ１，ＳＬ２を全て非通電に制御することとなり、リニアソレノイドバルブに供給する電力の消費量の増加を抑制することができる。さらに、Ｌｏモードが選択され、かつ、Ｓｏｌ１が断線フェールした場合は、「ブレーキＢ１，Ｂ２が共に係合されてアウトプットシャフト２５が停止し、車速が急激に低下すること。」を回避することができる。また、変速機１９の変速比がハイに設定されるため、モータ・ジェネレータ７の回転数が上昇することを抑制できる。
【００７１】
図１および図２に示された構成と、この発明の構成との対応関係を説明すれば、エンジン１がこの発明の第１の駆動力源に相当し、モータ・ジェネレータ７がこの発明の第２の駆動力源に相当し、モータ・ジェネレータ６がこの発明の回転装置に相当し、リニアソレノイドバルブＳＬ１，ＳＬ２が、この発明の変速比制御機構に相当し、フェールセーフバルブ８８が、この発明の特定制御機構に相当し、ブレーキＢ１が、この発明の第１の摩擦係合装置に相当し、ブレーキＢ２が、この発明の第２の摩擦係合装置に相当し、車両Ｖｅが、この発明のハイブリッド車に相当する。
【００７２】
また、リニアソレノイドバルブＳＬ１，ＳＬ２のうちの少なくとも一方が断線した場合」が、この発明の「変速比制御機構の機能が低下した場合」に相当し、「走行モードとしてＨｉモードを選択すること」が、この発明の「車両の走行性能の低下を抑制することが可能となるように、変速機の状態を制御する」に相当し、ローが、この発明の「最大変速比」および「第１の変速比」に相当し、ハイがこの発明の「最大変速比よりも小さい変速比」および「第２の変速比」に相当する。なお、この第１の実施例では、リニアソレノイドバルブの断線フェールが例示されているが、請求項１ないし３の発明の「変速比制御機構の機能が低下した場合」には、リニアソレノイドバルブに常時電力が供給されるショートフェールが生じた場合も含まれる。
【００７３】
【第２の実施例】
油圧制御装置５２の第２の実施例を、図６に基づいて説明する。第２の実施例は、請求項４および請求項５の発明に対応する実施例である。この図６の構成において、図１の構成と同じ構成については、図１と同じ符号を付してある。この第２の実施例と第１の実施例との相違点を説明すると、第２の実施例においては、油路７４，８０，８６のオイルを油圧室６３に供給することが可能となっている。油路７４，８０，８６のオイルを油圧室６３に供給するために、切換弁１０１，１０２が設けられている。まず、切換弁１０１について説明すると、この切換弁１０１は、弾性部材１０３により所定方向に付勢されるスプール１０４と、ポート１０５ないしポート１１０とを有している。そして、前記油路７４とポート１０６とが連通され、油路８０とポート１０５，１０７とが連通され、油路８６とポート１１０とが連通されている。
【００７４】
一方、切換弁１０２は、弾性部材１１１により所定方向に付勢されるスプール１１２と、ポート１１３ないしポート１１６とを有している。そして、前記油路８６とポート１１３とが連通され、ポート１１６と油圧室６３とが油路１１７により連通されている。さらに、ポート１１４とポート１０８とが油路１１８により連通され、ポート１１５とポート１０９とが油路１１９により連通されている。
【００７５】
ところで、第２の実施例においてもフェールセーフバルブ１２０が設けられている。このフェールセーフバルブ１２０の機能は、第１の実施例で説明したフェールセーフバルブ８８の機能と同じであるが、フェールセーフバルブ１２０の構成とフェールセーフバルブ８８の構成とが異なるため、フェールセーフバルブ１２０の構成を説明する。フェールセーフバルブ１２０は、弾性部材１２１により所定方向に付勢されるスプール１２２と、ポート１２３ないし１２８を有している。そして、ポート１２３と油路８０とが連通され、ポート１２４，１２５と油路８６とが連通され、ポート１２６とオイルパン５５とが連通され、ポート１２７と油路９６とが連通され、ポート１２８と油路９５とが連通されている。なお、図６においては、プライマリレギュレータバルブ５６のポート６２には、油路１２９を経由してクーラー９９および潤滑系統（図示せず）が連通されている。
【００７６】
つぎに、第２の実施例における油圧制御装置５２の作用を説明する。第２実施例においても、リニアソレノイドバルブＳＬ１，ＳＬ２の作用および機能は、第１の実施例と同様である。すなわち、リニアソレノイドバルブＳＬ１の通電制御により、油路８０の油圧が調圧されて、油圧室８１の油圧が高められた場合は、ブレーキＢ１の係合圧が高められる。これに対して、油圧室８１の油圧が低下した場合は、ブレーキＢ１の係合圧が低下する。
【００７７】
一方、リニアソレノイドバルブＳＬ２の通電制御により油路８６の油圧を調圧して、油圧室８７の油圧を制御する作用を説明する。まず、ブレーキＢ１を係合する場合は、油路８０の油圧が上昇し、かつ、油路１２３の油圧が上昇する。このため、フェールセーフバルブ１２０のスプール１２２は、図６において上向きに付勢されて、ポート１２５とポート１２８との連通面積が縮小されるとともに、ポート１２６とポート１２８との連通面積が拡大される。その結果、油圧室８７のオイルが油路９５を経由して排出されて油圧室８７の油圧が低下し、ブレーキＢ２の係合圧が低下する。
【００７８】
これに対して、ブレーキＢ１の係合圧を低下させ、ブレーキＢ２の係合圧を上昇させる場合は、リニアソレノイドバルブＳＬ１の通電電流が低下され、かつ、リニアソレノイドバルブＳＬ２の通電電流が高められる。すると、油路８０の油圧が低下し、かつ、油路１２３の油圧が低下するとともに、油路８６の油圧が上昇する。油路８０の油圧が低下すると、フェールセーフバルブ１２０のスプール１２２は、弾性部材１２１の付勢力により、図６において下向きに付勢されて、ポート１２５とポート１２８との連通面積が拡大されるとともに、ポート１２６とポート１２８との連通面積が縮小される。その結果、油路８６のオイルが油路９５を経由して油圧室８７に供給されて、ブレーキＢ２の係合圧が上昇する。
【００７９】
そして、第２の実施例において、低速モードまたは高速モードまたはニュートラルモードが選択され、かつ、図４を参照して説明した各種のフェールが生じた場合でも、第１の実施例と同様の理由により、第１の実施例と同様の効果を得ることができる。なお、第２の実施例においては、図６のフェールセーフバルブ１２２が、図４のＦＳバルブに相当する。
【００８０】
つぎに、プライマリレギュレータバルブ５６により油路７４の油圧（ライン圧）ＰＬを調圧する作用を説明する。まず、低速モードが選択された場合は、油路８０の油圧が低下して、切換弁１０１のポート１０７の油圧も低下する。すると、弾性部材１０３の付勢力によりスプール１０４が図６において上向きに付勢されて、ポート１０６とポート１０９とが遮断されるとともに、ポート１０９とポート１１０とが連通する。このため、油路７４のオイルは油路１１９には供給されなくなる。また、低速モードが選択された場合は、油路８６の油圧が高められており、油路８６オイルが油路１１９を経由して、切換弁１０２のポート１１５に供給される。
【００８１】
ところで、油路８６のオイルはポート１１３にも供給されており、ポート１１３の油圧の上昇により、スプール１１２が図６において上向きに付勢される。このため、ポート１１４とポート１１６とが遮断され、かつ、ポート１１６とポート１１５とが連通される。その結果、油路１１９のオイルが油路１１７を経由してプライマリレギュレータバルブ５６の油圧室６３に供給される。このように、低速モードが選択された場合は、リニアソレノイドバルブＳＬ２の出力油圧が油圧室６３に伝達されて、リニアソレノイドバルブＳＬ２の出力油圧を信号圧として、プライマリレギュレータバルブ５６が油路７４の油圧を調圧する。
【００８２】
これに対して、高速モードが選択された場合は、油路８０の油圧が上昇して、切換弁１０１のポート１０７の油圧も上昇する。すると、スプール１０４が図６において下向きに付勢されて、ポート１０９とポート１１０とが遮断されるとともに、ポート１０５とポート１０８とが連通し、かつ、ポート１０６とポート１０９とが連通する。このため、油路８６のオイルは油路１１９には供給されなくなるとともに、油路８０のオイルが油路１１８を経由して、切換弁１０２のポート１１４に供給される。また、油路７４のオイルが油路１１９を経由して、切換弁１０２のポート１１５に供給される。
【００８３】
ところで、油路８６の油圧が低下し、かつ、ポート１１３の油圧が低下しているため、切換弁１０２のスプール１１２が図６において下向きに付勢される。このため、ポート１１５とポート１１６とが遮断され、かつ、ポート１１４とポート１１６とが連通される。その結果、油路１１８のオイルが油路１１７を経由してプライマリレギュレータバルブ５６の油圧室６３に供給される。このように、高速モードが選択された場合は、リニアソレノイドバルブＳＬ１の出力油圧が油圧室６３に伝達されて、リニアソレノイドバルブＳＬ１の出力油圧を信号圧として、プライマリレギュレータバルブ５６が油路７４の油圧を調圧する。
【００８４】
さらに、低速モードと高速モードとの切り換え時、すなわち、変速機１９で変速比を変更する場合の作用を説明する。この変速機１９の変速比を切り換える場合は、過渡的にリニアソレノイドバルブＳＬ１，ＳＬ２が、共に通電状態に制御される。つまり、切換弁１０１のポート１０７の油圧が所定油圧以上となり、かつ、切換弁１０２のポート１３の油圧が所定油圧以上となる。すると、切換弁１０１においては、ポート１０６とポート１０９とが連通され、かつ、ポート１０９とポート１１０とが遮断され、かつ、ポート１０５とポート１０８とが連通される。また、切換弁１０２においては、ポート１１５とポート１１５とが連通され、かつ、ポート１１４とポート１１６とが遮断され。このため、油路７４のオイルが、油路１１９および油路１１７を経由して、プライマリレギュレータバルブ５６の油圧室６３に供給される。なお、油路８０，８６のオイルは油路１１７には供給されない。このように、油路７４の油圧自体を信号圧として、プライマリレギュレータバルブ５６が油路７４の油圧を調圧する。
【００８５】
つぎに、第２の実施例において、低速モードから高速モードに切り換える場合の作用を、図７のタイムチャートに基づいて説明する。まず、時刻ｔ１以前においては、低速モードが選択されている。この低速モードでは、リニアソレノイドバルブＳＬ１の出力油圧Ｐｓｏｌ１は低圧、例えば、零に制御され、リニアソレノイドバルブＳＬ２の出力油圧Ｐｓｏｌ２は高圧、例えば、油圧Ｐ３に制御されている。また、油路７４の油圧は油圧ＰＬとなっている。ここで、油圧Ｐ３は油圧ＰＬよりも低圧である。その理由は、油圧ＰＬをリニアソレノイドバルブＳＬ２により減圧して、油圧Ｐ３を生成しているからである。なお、この低速モードにおいては、リニアソレノイドバルブＳＬ２の出力油圧を信号圧として、油圧ＰＬが生成されている。
【００８６】
そして、時刻ｔ１で、変速指令が発生、つまり、低速モードから高速モードに切り換える指令が発生すると、変速を実行する前の準備制御が実行される。すなわち、リニアソレノイドバルブＳＬ１の出力油圧Ｐｓｏｌ１が、油圧Ｐ１を越え、かつ、油圧Ｐ２以下の油圧まで上昇される。すると、油路７４の油圧を信号圧として、油圧ＰＬが生成されることとなる。つまり、リニアソレノイドバルブＳＬ２の出力油圧Ｐｓｏｌ２よりも高圧の油圧ＰＬが、プライマリレギュレータバルブ５６の油圧室６３に伝達される。その結果、通路５９の連通面積が拡大されて、油圧ＰＬは時刻ｔ１以前よりも高圧となる。また、油圧室６３の油圧とポート６０の油圧とが相殺されるため、プライマリレギュレータバルブ５６のスプール５８の動作位置は、弾性部材５７の付勢力により一義的に決定される。具体的には、スプール５８が所定の位置に停止する。したがって、油圧ＰＬが略一定に制御される。
【００８７】
ついで、時刻ｔ２で、リニアソレノイドバルブＳＬ２の出力油圧Ｐｓｏｌ２が低下され、かつ、リニアソレノイドバルブＳＬ１の出力油圧Ｐｓｏｌ１が上昇される。このため、リニアソレノイドバルブＳＬ１の出力油圧Ｐｓｏｌ１、およびリニアソレノイドバルブＳＬ２の出力油圧Ｐｓｏｌ２が、共に油圧Ｐ２よりも高圧となる時期がある。その後、リニアソレノイドバルブＳＬ２の出力油圧Ｐｓｏｌ２が油圧Ｐ２未満に低下するとともに、時刻ｔ３で、リニアソレノイドバルブＳＬ１の出力油圧Ｐｓｏｌ１が油圧Ｐ３に制御され、リニアソレノイドバルブＳＬ２の出力油圧Ｐｓｏｌ２が零に制御されて、変速制御が終了する。なお、上記の説明中、油圧Ｐ２は油圧Ｐ３よりも低圧であり、油圧Ｐ１は油圧Ｐ２よりも低圧である。
【００８８】
このように、第２の実施例においては、第１の実施例で述べたリニアソレノイドバルブＳＬＴを用いることなく、切換弁１０１，１０２の機能により、油圧ＰＬを調圧することができる。また、高速モードを選択する場合、低速モードを選択する場合、変速制御中の場合の各場合において、プライマリレギュレータバルブ５６の信号油圧に用いる油圧を変更することにより、上記の各場合に適した必要最低圧のライン圧を、プライマリレギュレータバルブ５６により生成することができる。したがって、オイルポンプ５３，５４の駆動に消費される分の動力損失の増加を抑制することができる。また、低速モードから高速モードへの切り換え時には、油圧ＰＬを略一定に制御することができる。言い換えれば、油圧ＰＬのバラツキを抑制することができ、アウトプットシャフト２５に伝達されるトルクの変動を抑制することができ、変速機１９の変速特性が向上する。
【００８９】
上記の変速制御における切換弁１０１，１０２の動作を説明すると、図７のように時刻ｔ１以前においては、切換弁１０１は破線で示すように、オフ状態にあり、切換弁１０２は実線で示すようにオン状態にある。ここで、切換弁１０１のオフ状態とは、スプール１０４が図６の右側半分に示す位置に停止して、油路１０９と油路１１０とが連通し、油路８０と油路１１８とが遮断され、油路７４と油路１１９とが遮断される状態を意味する。また、切換弁１０２のオン状態とは、スプール１１２が図６の左側半分に示す位置に停止して、油路１１９と油路１１７とが連通し、油路１１８と油路１１７とが遮断される状態を意味する。
【００９０】
また、時刻ｔ１から時刻ｔ３の間は、切換弁１０１，１０２が共にオン状態にある。ここで、切換弁１０１のオン状態とは、スプール１０４が図６の左側半分に示す位置に停止して、油路７４と油路１１９とが連通し、油路８０と油路１１８とが連通し、油路８６と油路１１９とが遮断される状態を意味する。
【００９１】
さらに、時刻ｔ３以降は、切換弁１０１がオン状態にあり、切換弁１０２がオフ状態となる。ここで、切換弁１０２のオフ状態とは、スプール１１２が図６の右側半分に示す位置に停止して、油路１１８と油路１１７とが連通し、油路１１９と油路１１７とが遮断される状態を意味する。
【００９２】
つぎに、リニアソレノイドバルブＳＬ１，ＳＬ２の出力油圧と、変速モードとの対応関係を、図７のタイムチャートおよび図８の図表に基づいて説明する。この第２の実施例においては、図８に示すように、ニュートラルモードとして、２種類のニュートラルモードを選択可能である。
【００９３】
まず、ニュートラルモード（１）が選択された場合は、リニアソレノイドバルブＳＬ１の出力油圧Ｐｓｏｌ１は、油圧Ｐ１以下の領域▲１▼内に制御され、リニアソレノイドバルブＳＬ２の出力油圧Ｐｓｏｌ２は、油圧Ｐ１を越え、かつ、油圧Ｐ２以下である領域▲２▼内に制御される。これに対して、ニュートラルモード（２）が選択された場合は、リニアソレノイドバルブＳＬ１の出力油圧Ｐｓｏｌ１は、油圧Ｐ１を越え、かつ、油圧Ｐ２以下である領域▲２▼内に制御され、リニアソレノイドバルブＳＬ２の出力油圧Ｐｓｏｌ２は、油圧Ｐ１以下の領域▲１▼内に制御される。なお、ニュートラルモード（１）とニュートラルモード（２）とは、ニュートラルモードの次に低速モードまたは高速モードのいずれが選択されるかにより、ニュートラルモード（１）とニュートラルモード（２）とが使い分けられる。
【００９４】
これに対して、低速モードが選択された場合は、リニアソレノイドバルブＳＬ１の出力油圧Ｐｓｏｌ１は、油圧Ｐ１以下の領域▲１▼内に制御され、リニアソレノイドバルブＳＬ２の出力油圧Ｐｓｏｌ２は、油圧Ｐ２を越える領域▲３▼内に制御される。さらに高速モードが選択された場合は、リニアソレノイドバルブＳＬ１の出力油圧Ｐｓｏｌ１は、領域▲３▼内に制御され、リニアソレノイドバルブＳＬ２の出力油圧Ｐｓｏｌ２は、領域▲１▼内に制御される。ニュートラルモードの次に低速モードを選択することが予測される場合は、ニュートラルモード（１）が選択され、ニュートラルモードの次に高速モードを選択することが予測される場合は、ニュートラルモード（２）が選択される。なお、ニュートラルモード（３）は、この第２の実施例では選択されない。このニュートラルモード（３）については後述する。
【００９５】
また、前述したように、低速モードから高速モードへの変速を実行する前の準備制御中には、リニアソレノイドバルブＳＬ１の出力油圧Ｐｓｏｌ１は、領域▲２▼内に制御され、リニアソレノイドバルブＳＬ２の出力油圧Ｐｓｏｌ２は、領域▲３▼内に制御される。これに対して、高速モードから低速モードへの変速を実行する前の準備制御中には、リニアソレノイドバルブＳＬ１の出力油圧Ｐｓｏｌ１は、領域▲３▼内に制御され、リニアソレノイドバルブＳＬ２の出力油圧Ｐｓｏｌ２は、領域▲２▼内に制御される。
【００９６】
さらにまた、時刻ｔ２から時刻ｔ３に至る変速途中においては、リニアソレノイドバルブＳＬ１の出力油圧Ｐｓｏｌ１は、領域▲３▼内に制御され、リニアソレノイドバルブＳＬ２の出力油圧Ｐｓｏｌ２は、領域▲３▼内に制御される。なお、リニアソレノイドバルブの出力油圧がＰ２以下である場合は、各ブレーキは非係合（トルク容量零）となり、リニアソレノイドバルブの出力油圧がＰ１以下である場合は、そのリニアソレノイドバルブに対応する切換弁はオフ状態となる。
【００９７】
ここで、第２の実施例で述べた事項と、この発明の構成との対応関係を説明すれば、油圧室６３に伝達される油圧、すなわち、リニアソレノイドバルブＳＬ１，ＳＬ２の油圧、および油路７４の油圧が、この発明の信号油圧に相当し、油路７４の油圧ＰＬが、この発明の所定の制御油圧に相当し、プライマリレギュレータバルブ５６が、この発明の制御油圧生成弁に相当する。なお、第２の実施例で述べたその他の事項と、この発明の構成との対応関係は、第１の実施例で述べた事項と、この発明の構成との対応関係と同じである。
【００９８】
【第３の実施例】
つぎに、油圧制御装置５２の第３の実施例を、図９に基づいて説明する。第３の実施例は、請求項６の発明に対応する実施例である。図９の構成において、図１または図６の構成と同じ構成については、図１または図６と同じ符号を付してある。この第３の実施例においては、切換弁１０１にポート１３０が形成されており、ポート１３０と油路１００とが油路１３１により連通されている。そして、切換弁１０１がオフ状態となった場合は、ポート１０８とポート１３０とが連通する。これに対して、切換弁１０１がオン状態となった場合は、ポート１３０が閉じられる。
【００９９】
この第３の実施例においては、変速機１９を制御するモードとして、図８のニュートラルモード（３）を選択することが可能である。第３の実施例では、ニュートラルモード（１）、ニュートラルモード（２）は選択されない。このニュートラルモード（３）が選択された場合は、リニアソレノイドバルブＳＬ１の出力油圧Ｐｓｏｌ１は、図７に示す領域▲１▼に制御され、リニアソレノイドバルブＳＬ２の出力油圧Ｐｓｏｌ２も図７に示す領域▲１▼に制御される。つまり、第３の制御例において、ニュートラルモードが選択された場合は、切換弁１０１および切換弁１０２が、共にオフ状態となる。すると、油路１１７，１１８，１３１が連通し、油圧室６３のオイルが、油路１１７，１１８，１３１を経由してオイルパン５５に排出される。
【０１００】
このようにして、油圧室６３の油圧が所定油圧以下、具体的には零に制御される。つまり、プライマリレギュレータバルブ５６により調圧される油路７４の油圧ＰＬの最低圧を、プライマリレギュレータバルブ５６を構成する部品により一義的に決定される機械的な値、具体的には、弾性部材５７の付勢力に応じた値として補償することができる。したがって、ニュートラルモード（３）が設定された場合において、油路７４の油圧ＰＬの最低圧のバラツキが小さくなり、オイルポンプ５３，５４の負荷を推定する精度が向上する。そして、オイルポンプ５３の負荷が小さい場合は、エンジン出力を低く制御することにより、エンジン１の燃費を向上することができる。
【０１０１】
この第３の実施例において、図７のタイムチャートおよびその説明が、そのまま適用される。また、第３の実施例において、ニュートラルモード（３）以外の変速モードとしては、図８の図表に示したモードを選択可能である。ここで、第３の実施例の構成と、この発明の構成との対応関係を説明すれば、「ニュートラルモードが選択される場合」が、この発明の「変速機をトルク伝達不可能な状態とする場合」に相当し、「油圧室６３の油圧を零とすること」が、この発明の「信号油圧を所定油圧以下に制御する」に相当する。なお、第３の実施例のその他の構成と、この発明の構成との対応関係は、第１の実施例および第２の実施例の構成と、この発明の構成との対応関係と同じである。
【０１０２】
【第４の実施例】
つぎに、油圧制御装置５２の第４の実施例を、図１０に基づいて説明する。第４の実施例は、請求項７の発明に対応する実施例である。この第４の実施例においては、リニアソレノイドバルブＳＬ２の出力油圧が伝達される切換弁１３２の構成が、第３の実施例とは異なる。切換弁１３２は、弾性部材１３３により所定方向に付勢されるスプール１３４と、ポート１３５ないしポート１４０とを有している。そして、切換弁１０１のポート１０８と、切換弁１３２のポート１３６とが油路１１８により連通され、ポート１０９とポート１３７とが油路１１９により連通されている。
【０１０３】
また、油路８６と、ポート１３５，１３８とが連通されている。さらに、油圧室６３とポート１３９とが油路１４１により連通されている。さらに、ポート１４０と、フェールセーフバルブ１２０のポート１２４，１２５とが油路１４２により連通されている。さらにまた、油路１１８と油圧室８１とが油路１４３により連通されている。上記構成の切換弁１３２においては、弾性部材１３３の付勢力と、ポート１３５の油圧に対応する付勢力との関係に基づいて、スプール１３４の動作が決定される。なお、図１０の構成において、図１，図６の構成と同じ構成については、図１，図６の構成と符号を付してある。
【０１０４】
この第４の実施例においても、リニアソレノイドバルブＳＬ１の出力油圧Ｐｓｏｌ１と、切換弁１０１のオン・オフとの関係は、第３の制御例と同じである。これに対して、リニアソレノイドバルブＳＬ２の出力油圧Ｐｓｏｌ２が上昇した場合は、スプール１３４が図１０において上向きに動作して、切換弁１３２がオン状態となる。切換弁１３２がオン状態になると、ポート１３６とポート１３９とが遮断され、ポート１３７とポート１３９とが連通され、ポート１３８とポート１４０とが連通する。
【０１０５】
これに対して、リニアソレノイドバルブＳＬ２の出力油圧Ｐｓｏｌ２が低下した場合は、スプール１３４が図１０において下向きに動作して、切換弁１３２がオフ状態となる。切換弁１３２がオフ状態になると、ポート１３６とポート１３９とが連通され、ポート１３７とポート１３９とが遮断され、ポート１３８とポート１４０とが遮断される。
【０１０６】
第４の実施例において、Ｌｏモードが選択された場合は、切換弁１０１がオフ状態に制御され、切換弁１０２がオン状態に制御される。すると、油路８６のオイルが油路１４２を経由して、フェールセーフバルブ１２０のポート１２４，１２５に供給される。ここで、Ｌｏモードが選択された場合は、油路８０の油圧が低く、ポート１２３の油圧が低圧であるため、スプール１２２が図１０において下向きに動作した状態、つまり、フェールセーフバルブ１２０がオン状態にある。したがって、油路１４２のオイルが油路９５を経由して油圧室８７に供給されて、油圧室８７の油圧が上昇し、ブレーキＢ２が係合される。さらに、油路１１９のオイルが油路１４１を経由して油圧室６３に供給され、リニアソレノイドバルブＳＬ２の出力油圧Ｐｓｏｌ２により、油路７４の油圧ＰＬが制御される。
【０１０７】
また、Ｌｏモードが選択された場合は、切換弁１０１がオフ状態になるため、油路８０のオイルは油圧室８１には供給されないとともに、油圧室８１のオイルが油路１４３，１３１を経由して排出される。したがって、ブレーキＢ１が解放される。
【０１０８】
これに対して、Ｈｉモードが選択された場合は、切換弁１０１がオン状態に制御されて、ポート１０５とポート１０８とが連通されるため、油路８０のオイルが油路１４３を経由して油圧室８１に供給されて油圧室８１の油圧が上昇し、ブレーキＢ１の係合圧が高まる。また、Ｈｉモードが選択された場合は、切換弁１３２がオフ状態に制御される。このため、油路１１８のオイルが油路１４１を経由して、油圧室６３に供給される。つまり、リニアソレノイドバルブＳＬ１の出力油圧Ｐｓｏｌ１により、油路７４の油圧ＰＬが制御される。なお、Ｈｉモードが選択された場合は、切換弁１０１がオン状態となるため、油路８６のオイルは油路１１９には供給されない。
【０１０９】
また、Ｈｉモードが選択された場合は、切換弁１３２がオフ状態に制御されるため、油路７４のオイルは油路１４１には供給されない。さたに、油路８６のオイルは油路１４２には供給されない。また、油路８０の油圧が高いため、ポート１２３の油圧が上昇してスプール１２２が図１０において上向きに動作し、ポート１２８とポート１２６とが連通される。したがって、油圧室８７のオイルが油路９５からドレーンされて、油圧室８７の油圧が低下し、ブレーキＢ２が解放される。
【０１１０】
さらに、ニュートラルモードが選択された場合は、切換弁１０１，１３２が共にオフ状態に制御される。切換弁１０１がオフ状態に制御された場合は、油路８０のオイルは油圧室８１には供給されず、油圧室８１のオイルが油路１４３，１３１を経由して排出される。したがって、ブレーキＢ１が解放される。なお、切換弁１０１がオフ状態であれば、油路７４のオイルは油路１４１には供給されない。また、切換弁１３２がオフ状態に制御された場合は、油路８６のオイルは油圧室８７には供給されず、油圧室８７のオイルが油路９５から排出されて、油圧室８７の油圧が低下する。したがって、ブレーキＢ２も解放される。
【０１１１】
また、この第４の実施例において、ＬｏモードからＨｉモードに切り換える場合のタイムチャートは、図７と同様となる。また、第４の実施例においても、図８のニュートラルモード（１）、（２）以外の各変速モードを選択可能である。また、ＬｏモードからＨｉモードへの切り換え、ＨｉモードからＬｏモードへの切り換え時における準備制御も、図８の場合と同様である。さらに、ＬｏモードからＨｉモードへの切り換え途中、または、ＨｉモードからＬｏモードへの切り換え途中の制御も、図８の場合と同様である。この変速制御の過渡時には、切換弁１０１，１３２が共にオン状態となる。このため、油路７４のオイルが、油路１１９，１４１を経由して油圧室６３に伝達される。つまり、油路７４の油圧を信号圧として、プライマリレギュレータバルブ５６の調圧がおこなわれる。
【０１１２】
ところで、そして、切換弁１０１，１３２が共にオフ状態に固定されてしまうフェール、つまり、スティックフェールが生じた場合に、油路７４の油圧ＰＬは、油路７４の油圧を信号圧として調圧されるため、油圧ＰＬは低圧となる。これに対して、第４の制御例においては、リニアソレノイドバルブＳＬ１の出力油圧Ｐｓｏｌ１が、切換弁１０１を経由して油圧室８１に伝達される構成となっており、かつ、リニアソレノイドバルブＳＬ２の出力油圧Ｐｓｏｌ２が、切換弁１３２を経由して油圧室８７に伝達される構成となっている。そして、切換弁１０１がオフ状態であれば、油路８０の油圧は油圧室８１には伝達されず、かつ、切換弁１３２がオフ状態であれば、油路８６の油圧は油圧室８７には伝達されないように、切換弁１０１，１３１が構成されている。
【０１１３】
このため、前記スティックフェールが生じた場合でも、「低圧の油圧ＰＬを減圧して生成される出力油圧ＰＳｏｌ１または出力油圧ＰＳｏｌ２が、ブレーキＢ１またはブレーキＢ２に伝達されること」を、この第４の実施例では確実に防止できる。言い換えれば、ブレーキＢ１，Ｂ２は共に解放されたままとなる。したがって、「ブレーキＢ１，Ｂ２がトルク容量不足となり、ブレーキＢ１，Ｂ２がスリップすること、またはブレーキＢ１，Ｂ２が焼き付くこと」を防止できる。なお、第４の実施例において、第１の実施例ないし第３の実施例と同じ構成部分については、第１の実施例ないし第３の実施例と同様の作用効果を得ることができる。なお、第４の実施例における構成と、この発明の構成との対応関係は、第１の実施例ないし第３の実施例における構成と、この発明の構成との対応関係とおなじである。
【０１１４】
【第５の実施例】
油圧制御装置５２の第５の実施例を、図１１に基づいて説明する。この第５の実施例は、請求項８の発明に対応する実施例である。図１１に示された油圧制御装置５２は、切換弁１４４，１４５を有している。切換弁１４４は、弾性部材１４６と、弾性部材１４６により所定方向に付勢されるスプール１４７と、ポート１４８ないしポート１５６とを有している。ポート１４８，１５１が油路８０に連通され、ポート１５２が油路１３１を経由してオイルパン５５に連通されている。また、ポート１５３と油路１２９とが連通され、ポート１４９と油路７４とが連通されている。さらに、油路８６とポート１５４とが連通されている。このように構成された切換弁１４４は、弾性部材１４６の付勢力と、ポート１４８の油圧に対応する付勢力とに基づいて、スプール１４７の動作が決定される。
【０１１５】
一方、切換弁１４５は、弾性部材１５８と、弾性部材１５８より所定方向に付勢されるスプール１５９と、ポート１６０ないしポート１６７と、ポート１７１とを有している。ポート１５７とポート１６７とが油路１６８により連通され、油路１３１とポート１６４とが油路１６９により連通されている。また、油路８６とポート１６０，１６３とが連通され、ポート１６２とポート１５５とが油路１１９により連通されている。さらに、ポート１６１とポート１５６とが油路１１８により連通され、ポート１６７と油圧室６３とが油路１４１により連通されている。ポート１２４，１２５とポート１６６とが油路１４２により連通され、そして、ポート１７１には油路１７０が連通されている。油路１７０はブレーキＢ１，Ｂ２付近まで到達している。上記のように構成された切換弁１４５は、弾性部材１５８の付勢力と、ポート１６０の油圧に対応する付勢力とに基づいて、スプール１５９の動作が決定される。図１１の油圧制御装置５２の構成において、図１、図６、図９、図１０の構成と同じ構成については、図１、図６、図９、図１０の構成と同じ符号を付してある。
【０１１６】
この第５の実施例において、リニアソレノイドバルブＳＬ１の出力油圧Ｐｓｏｌ１が上昇した場合は、切換弁１４４のポート１４８の油圧が上昇して、スプール１４７が図１１において下向きに動作して、切換弁１４４がオン状態となる。切換弁１４４がオン状態になると、ポート１５３とポート１５７とが連通され、ポート１５１とポート１５６とが連通され、ポート１４９とポート１５５とが連通するとともに、ポート１５２とポート１５７とが遮断され、ポート１５０とポート１５６とが遮断され、ポート１５４とポート１５５とが遮断される。
【０１１７】
これに対して、リニアソレノイドバルブＳＬ１の出力油圧Ｐｓｏｌ１が低下した場合は、ポート１４８の油圧が低下して、スプール１４７が図１１において上向きに動作して、切換弁１４４がオフ状態となる。切換弁１４４がオフ状態になると、ポート１５２とポート１５７とが連通され、ポート１５０とポート１５６とが連通され、ポート１５４とポート１５５とが連通するとともに、ポート１５３とポート１５７とが遮断され、ポート１５１とポート１５６とが遮断され、ポート１４９とポート１５５とが遮断される。
【０１１８】
一方、リニアソレノイドバルブＳＬ２の出力油圧Ｐｓｏｌ２が上昇した場合は、切換弁１４５のポート１６０の油圧が上昇して、スプール１５９が図１１において上向きに動作して、切換弁１４５がオン状態となる。切換弁１４５がオン状態になると、ポート１６２とポート１６７とが連通され、ポート１６３とポート１６６とが連通され、ポート１６５とポート１７１とが連通されるとともに、ポート１６１とポート１６７とが遮断され、ポート１６４とポート１７１とが遮断される。
【０１１９】
これに対して、リニアソレノイドバルブＳＬ２の出力油圧Ｐｓｏｌ２が低下した場合は、切換弁１４５のポート１６０の油圧が低下して、スプール１５９が図１１において下向きに動作して、切換弁１４５がオフ状態となる。切換弁１４５がオフ状態になると、ポート１６１とポート１６７とが連通され、ポート１６４とポート１７１とが連通されるとともに、ポート１６２とポート１６７とが遮断され、ポート１６３とポート１６６とが遮断され、ポート１６５とポート１７１とが遮断される。
【０１２０】
第５の実施例において、Ｌｏモードが選択された場合は、切換弁１４４がオフ状態に制御され、切換弁１４５がオン状態に制御される。すると、油路８６のオイルが油路１４２を経由して、フェールセーフバルブ１２０のポート１２４，１２５に供給される。ここで、Ｌｏモードが選択された場合は、油路８０の油圧が低く、ポート１２３の油圧が低圧であるため、スプール１２２が図１１において下向きに動作した状態、つまり、フェールセーフバルブ１２０がオン状態にある。したがって、油路１４２のオイルが油路９５を経由して油圧室８７に供給されて、油圧室８７の油圧が上昇し、ブレーキＢ２が係合される。さらに、油路８６のオイルが、油路１１９，１４１を経由して油圧室６３に供給され、リニアソレノイドバルブＳＬ２の出力油圧Ｐｓｏｌ２により、油路７４の油圧ＰＬが制御される。
【０１２１】
また、Ｌｏモードが選択された場合は、切換弁１４４がオフ状態になるため、油路８０のオイルは油圧室８１には供給されないとともに、油圧室８１のオイルが油路１４３，１３１を経由して排出される。したがって、ブレーキＢ１が解放される。
【０１２２】
これに対して、Ｈｉモードが選択された場合は、切換弁１４４がオン状態に制御されて、ポート１５１とポート１５６とが連通されるため、油路８０のオイルが油路１１８，１４３を経由して油圧室８１に供給されて油圧室８１の油圧が上昇し、ブレーキＢ１の係合圧が高まる。また、Ｈｉモードが選択された場合は、切換弁１４５がオフ状態に制御される。このため、油路１１８のオイルが油路１４１を経由して、油圧室６３に供給される。つまり、リニアソレノイドバルブＳＬ１の出力油圧Ｐｓｏｌ１により、油路７４の油圧ＰＬが制御される。なお、Ｈｉモードが選択された場合は、切換弁１４４がオン状態となるため、油路８６のオイルは油路１１９には供給されない。
【０１２３】
また、Ｈｉモードが選択された場合は、切換弁１４４がオン状態に制御されるため、油路７４のオイルは油路１１９には供給されない。さらに、油路８６のオイルは油路１４２には供給されない。また、油路８０の油圧が高いため、ポート１２３の油圧が上昇してスプール１２２が図１１において上向きに動作し、ポート１２８とポート１２６とが連通される。したがって、油圧室８７のオイルが油路９５からドレーンされて、油圧室８７の油圧が低下し、ブレーキＢ２が解放される。
【０１２４】
さらに、ニュートラルモードが選択された場合は、切換弁１４４，１４５が共にオフ状態に制御される。切換弁１４４がオフ状態に制御された場合は、油路８０のオイルは油圧室８１には供給されず、油圧室８１のオイルが油路１４３，１１８，１３１を経由して排出される。したがって、ブレーキＢ１が解放される。なお、切換弁１４４がオフ状態であれば、油路７４のオイルは油路１４１には供給されない。また、切換弁１４５がオフ状態に制御された場合は、油路８６のオイルは油圧室８７には供給されず、油圧室８７のオイルが油路９５から排出されて、油圧室８７の油圧が低下する。したがって、ブレーキＢ２も解放される。
【０１２５】
また、この第５の実施例において、ＬｏモードからＨｉモードに切り換える場合のタイムチャートは、図７と同様となる。また、第５の実施例においても、図８のニュートラルモード（１）、ニュートラルモード（２）以外の各変速モードを選択可能である。また、ＬｏモードからＨｉモードへの切り換え、ＨｉモードからＬｏモードへの切り換え時における準備制御も、図８の場合と同様である。さらに、ＬｏモードからＨｉモードへの切り換え途中、または、ＨｉモードからＬｏモードへの切り換え途中の制御も、図８の場合と同様である。この変速制御の過渡時には、切換弁１４４，１４５が共にオン状態となる。このため、油路７４のオイルが、油路１１９，１４１を経由して油圧室６３に伝達される。つまり、油路７４の油圧を信号圧として、プライマリレギュレータバルブ５６の調圧がおこなわれる。さらに、第５の実施例において、第１の実施例ないし第の４実施例と同様の構成部分については、第１の実施例ないし第の４実施例と同様の作用効果を得ることができる。
【０１２６】
ところで、第５の実施例においては、切換弁１４４がオン状態になった場合は、ポート１５３とポート１５７とが連通する。また、切換弁１４５がオン状態になった場合は、ポート１６５とポート１７１とが連通する。そして、第５の実施例においては、図８の図表に示すように、変速中にはリニアソレノイドバルブＳＬ１の出力油圧Ｐｓｏｌ１およびリニアソレノイドバルブＳＬ２の出力油圧Ｐｓｏｌ２が共に高圧に制御され、切換弁１４４，１４５が共にオン状態になる。すると、油路１２９のオイルが、油路１６８，１７０を経由してブレーキＢ１，Ｂ２に供給される。したがって、ＬｏモードからＨｉモードへの変速途中、またはＨｉモードからＬｏモードへの変速途中において、ブレーキＢ１，Ｂ２がスリップするが、ブレーキＢ１，Ｂ２を潤滑および冷却する潤滑油量を増加することができる。
【０１２７】
また、ＬｏモードからＨｉモードへの変速途中、またはＨｉモードからＬｏモードへの変速途中以外の変速モードにおいては、切換弁１４４，１４５が共にオン状態となることはなく、潤滑油はブレーキＢ１，Ｂ２には供給されない。したがって、ＬｏモードからＨｉモードへの変速途中、またはＨｉモードからＬｏモードへの変速途中以外の変速モードが選択されている場合に、ブレーキＢ１，Ｂ２に供給される潤滑油量が、必要潤滑油量よりも過多となることを抑制できる。さらに、ブレーキＢ１，Ｂ２のうちいずれか一方が解放されている場合に、解放されているブレーキに潤滑油が供給されて、回転要素の動力が、潤滑油の粘性抵抗により損なわれること、いわゆる「引き摺りトルクの発生」を低減することができる。また、引き摺りトルクの低減によりエンジン１の燃費を向上することができる。
【０１２８】
油圧制御装置５２にオイルを供給するオイルポンプとして、電動オイルポンプまたは可変容量オイルポンプなどを用いることにより、変速機１９で変速を実行する場合のみ、オイルポンプの吐出量を増加することも可能である。このような構成を採用し、かつ、ＬｏモードからＨｉモードへ変速する場合におけるポンプ流量の時間変化が、図７のタイムチャートに示されている。この図７のように、変速前後におけるポンプ流量（オイルポンプ５３，５４の吐出量）よりも、変速準備領域および変速領域におけるポンプ流量の方が多くなるように制御する。そして、増加したポンプ流量の一部が、ブレーキＢ１，Ｂ２の潤滑に用いられる。
【０１２９】
このように、油圧制御装置５２におけるオイル量の必要量と、油圧制御装置５２に供給されるオイル量との収支関係を成立させることができる。したがって、「ＬｏモードからＨｉモードへの変速途中、またはＨｉモードからＬｏモードへの変速途中」以外の変速モードが選択されている場合に、オイルポンプの吐出損失を低減し、かつ、エンジン１の燃費を向上することができる。なお、第５の実施例で説明した構成と、この発明との対応関係は、第１の実施例ないし第４の実施例の構成と、この発明の構成との対応関係と同じである。
【０１３０】
なお、図２のパワートレーンにおいては、変速機として遊星歯車式変速機が用いられているが、選択歯車式変速機を有する車両においても、各請求項の発明を実施可能である。また、クラッチとして、摩擦係合装置の一種であるブレーキが挙げられ、かつ、ブレーキの係合圧を油圧制御装置により制御する構成となっているが、電磁クラッチを用いた車両においても、請求項１の発明を実施可能であるとともに、変速機の変速比を制御するアクチュエータとして、電磁式アクチュエータを用いた車両においても、請求項１の発明を実施可能である。さらにまた、図２に示された変速機は、変速比を段階的（不連続）にローとハイに切換可能な有段変速機であるが、変速比を無段階（連続的）に切換可能な無段変速機を有する車両においても、各請求項の発明を実施可能である。さらに、エンジンおよびモータ・ジェネレータの回転軸線が、車両の幅方向に配置されたＦＦ（フロントエンジン・フロントドライブ）形式の車両においても、各請求項の発明を実施可能である。
【０１３１】
【発明の効果】
以上説明したように請求項１の発明によれば、変速比制御機構の機能が低下した場合でも、車両の走行性能の低下を抑制することが可能となり、車両の退避走行が可能となる。
【０１３２】
請求項２の発明によれば、請求項１の発明と同様の効果を得ることができる他に、変速機の変速比として、最大変速比よりも小さい変速比を設定することができる。したがって、第２の駆動力源の回転数の上昇を抑制できる。
【０１３３】
請求項３の発明によれば、請求項１または２の発明と同様の効果を得ることができる他に、第１の変速比を設定する場合に、変速比制御機構の機能が低下して、第１の摩擦係合装置が係合される場合は、第２の摩擦係合装置を解放することができる。したがって、第１の摩擦係合装置および第２の摩擦係合装置が共に係合されることを回避できる。
【０１３４】
請求項４の発明によれば、請求項１の発明と同様の効果を得ることができる他に、変速比制御機構で調圧された油圧、または、制御油圧生成弁で生成された制御油圧のいずれかを、制御油圧生成弁の信号油圧として選択することができる。
【０１３５】
請求項５の発明によれば、請求項４の発明と同様の効果を得ることができる他に、変速機の変速状況に合わせて、必要最低圧の制御油圧を生成することができる。
【０１３６】
請求項６の発明によれば、請求項４または５の発明と同様の効果を得ることができる他に、変速機をトルク伝達不可能な状態とする場合は、制御油圧生成弁に入力される信号油圧が所定油圧以下に制御することができる。したがって、制御油圧生成弁が本来備えている機械的な特性により、制御油圧の最低圧を略一定に制御することができる。
【０１３７】
請求項７の発明によれば、請求項４ないし６のいずれかの発明と同様の効果を得ることができる他に、制御油圧生成弁で生成される制御油圧が所定油圧以下であるような場合は、低圧の制御油圧を減圧して生成される油圧により、第１の摩擦係合装置または第２の摩擦係合装置を係合することを防止できる。したがって、第１の摩擦係合装置または第２の摩擦係合装置がトルク容量不足となることを防止できる。
【０１３８】
請求項８の発明によれば、請求項４ないし請求項７のいずれかの発明と同様の効果を得ることができる他に、変速機で第１の変速比と第２の変速比との切り換えをおこなう場合に、第１の摩擦係合装置および第２の摩擦係合装置に供給される潤滑油量の低下を抑制することができる。
【図面の簡単な説明】
【図１】この発明の制御装置の第１の制御例を示す油圧回路図である。
【図２】この発明の制御装置を有するハイブリッド車のパワートレーンおよび制御系統を示す概念図である。
【図３】図２に示す車両の回転部材の状態を示す速度線図である
【図４】図１に示す油圧回路のシステムの状態を示す図表である。
【図５】図１に示す油圧回路のシステムの状態を示す図表である。
【図６】この発明の制御装置の第２の制御例を示す油圧回路図である。
【図７】図６に示す油圧回路の作用を説明するタイムチャートである。
【図８】この発明の実施例における変速モードと、リニアソレノイドバルブの出力油圧との関係を示す図表である。
【図９】この発明の制御装置の第３の制御例を示す油圧回路図である。
【図１０】この発明の制御装置の第４の制御例を示す油圧回路図である。
【図１１】この発明の制御装置の第５の制御例を示す油圧回路図である。
【符号の説明】
１…エンジン、  ６，７…モータ・ジェネレータ、  １０…動力分配装置、  １９…変速機、  ３１…車輪、  ５２…油圧制御装置、  Ｂ１，Ｂ２…ブレーキ、  ８８，１２２…フェールセーフバルブ、  １０１，１０２，１３２，１４４，１４５…切換弁、  ＳＬ１，ＳＬ２…リニアソレノイドバルブ、  Ｖｅ…車両。
【図１】
2004278713.tif 000003
【図２】
2004278713.tif 000004
【図３】
2004278713.tif 000005
【図４】
2004278713.tif 000006
【図５】
2004278713.tif 000007
【図６】
2004278713.tif 000008
【図７】
2004278713.tif 000009
【図８】
2004278713.tif 000010
【図９】
2004278713.tif 000011
【図１０】
2004278713.tif 000012
【図１１】
2004278713.tif 000013